(57)【特許請求の範囲】
【請求項１】
建屋の外部に面する出入口にガイドレールで吊下げ支持された状態に設置され、手動により開き動作し、スライドクローザーにより閉じ動作するように構成された引き戸本体を備え、
前記引き戸本体は、開口側縦枠と、反対側縦枠と、上枠と、下枠と、中桟と、面板としてのアルミパンチングメタルとを含み、
さらに、前記開口側縦枠、反対側縦枠、上枠、下枠および中桟は、それぞれ、内側をステンレスで補強したアルミ押出成形品が使用されているとともに、
引き戸本体の前記開口側縦枠と対向する戸当り用縦枠に引き戸用自動施錠錠を設けた自閉式引き戸であって、
前記引き戸本体の下端部をスライド自在に案内する溝状のガイドレールが床面に設けられ、
前記戸当り用縦枠における開口側の側面で且つ上下方向中間部に、引き戸本体の開口側縦枠と嵌合する凹溝が形成された位置決め用嵌合部材を取り付けてあるとともに、
前記凹溝の底部にクッション材が貼着されている一方、引き戸本体の開口側縦枠にクッション材が取り付けられており、また、
前記位置決め用嵌合部材が前記引き戸用自動施錠錠とは位置を上下方向にずらして取り付けられており、しかも、
引き戸本体の前記反対側縦枠に取り付けたクッション材と、このクッション材が当たる戸当りゴムが設けられていることを特徴とする自閉式引き戸。
【請求項２】
前記位置決め用嵌合部材の下端が出入口の床面より上方に位置することを特徴とする請求項１に記載の自閉式引き戸。
【請求項３】
前記位置決め用嵌合部材は、戸当り用縦枠の側面に当接させて皿ビスで取り付ける底板部と、その幅方向内端から立ち上がった後、外側へ二つ折りした第一の立上り板部と、底板部の幅方向外端から斜めに立ち上がった後、外側に折れ曲り、さらに戸当り用縦枠の側面と当接する位置まで略直角に折り返された第二の立上り板部とで構成されており、前記第一の立上り板部と前記第二の立上り板部の間が前記凹溝に形成されており、前記凹溝は外拡がりに形成されていることを特徴とする請求項１又は２に記載の自閉式引き戸。
【発明の詳細な説明】
【技術分野】
【０００１】
本発明は、自転車置場用建屋の出入口あるいは障碍者施設、高齢者施設などの玄関引き戸にガイドレールで吊下げ支持された状態に設置され、手動により開き動作し、スライドクローザーにより閉じ動作するように構成された引き戸本体を備え、引き戸本体の開口側縦枠と対向する戸当り用縦枠に引き戸用自動施錠錠を設けた自閉式引き戸に関する。
【背景技術】
【０００２】
この種の自転車置場の自閉式引き戸においては、自転車を出し入れする際、自転車のハンドルを一方の手で支えたまま、他方の手で引き戸本体を開き動作するのが普通であり、それ故、片手で軽く開けられるようにすることが要求される。また、引き戸本体の閉じ動作がスライドクローザーによって自動的に行われるから、引き戸本体が大重量物であると、戸当り用縦枠と引き戸本体の開口側縦枠との間に手指などを挟まれたとき、怪我をする虞があり、安全面で問題がある。また、障碍者施設等では、車イスにより引き戸を開き動作する場合に同様の安全面での問題がある。
【０００３】
そのため、この種の自転車置場等の自閉式引き戸においては、引き戸本体の面板や四周の枠材として、アルミパンチングメタルやアルミ押出成形品のような軽量な部材を使用することにより、引き戸本体の軽量化が図られている。
【０００４】
しかしながら、引き戸本体の構成部材としてアルミパンチングメタルやアルミ押出成形品のような軽量な部材を使用した従来の自転車置場等の外部に面する出入口の自閉式引き戸では、次のような問題点が指摘されていた。
【０００５】
即ち、引き戸本体の軽量化に伴い、引き戸本体の剛性が低くなっているので、風の強い日に自転車を出し入れすると、引き戸本体がスライドクローザーによって自動的に閉じ動作する際、風圧によって面外方向に撓み変形したまま、閉じ位置に向けて復帰することになる。その結果、戸当り用縦枠に設けられた引き戸用自動施錠錠のデッドボルトと、引き戸本体の開口側縦枠に設けられたストライクの位置がずれてしまい、施錠されないことがある。
【０００６】
この状態でも、引き戸本体の把手を面外方向に押すか引くかして、引き戸本体の撓み変形を修正することで、デッドボルトとストライクの位置を合致させ、施錠することは可能であるが、集合住宅の自転車置場のように多くの住民に共用される自転車置場では、全ての住民が確実に施錠してくれるとは限られず、不完全な施錠が種々のトラブルの原因ともなり得る。障碍者施設等でも、全ての施設利用者が確実に施錠してくれるとは限らず、同様の問題が生じる。
【０００７】
尚、住宅の屋内の引き戸を対象とする公知技術ではあるが、特許文献１には、引き戸の開口側縦枠と対向する戸当り側縦枠に、引き戸の幅（厚み）よりも若干広い凹溝を形成しておき、引き戸を閉めたとき、引き戸の側端部が凹溝に嵌まり込むようにした構成が記載されている。しかし、この公知技術は、引き戸を閉めたとき、引き戸の側端部が凹溝に嵌まり込むことによって、隣接する部屋等からの光を遮断するようにしたものであるから、凹溝は、戸当り側縦枠の上下方向全長にわたって設ける必要がある。
【先行技術文献】
【特許文献】
【０００８】
【特許文献１】特開平８−２９６３６６号公報
【発明の概要】
【発明が解決しようとする課題】
【０００９】
本発明は、上述した問題点を踏まえてなされたものであって、その目的とするところは、風の強い日に出入りする場合、スライドクローザーによって自動的に閉じ動作する引き戸本体が風圧によって面外方向に撓み変形しても、引き戸本体が閉じ位置まで復帰することによって、引き戸本体の撓み変形を修正できるようにした自閉式引き戸を容易かつ安価に実現することにある。
【課題を解決するための手段】
【００１０】
上記の目的を達成するために、本発明が講じた技術的手段は、次の通りである。即ち、請求項１に記載の発明は、建屋の外部に面する出入口にガイドレールで吊下げ支持された状態に設置され、手動により開き動作し、スライドクローザーにより閉じ動作するように構成された引き戸本体を備え、
前記引き戸本体は、開口側縦枠と、反対側縦枠と、上枠と、下枠と、中桟と、面板としてのアルミパンチングメタルとを含み、
さらに、前記開口側縦枠、反対側縦枠、上枠、下枠および中桟は、それぞれ、内側をステンレスで補強したアルミ押出成形品が使用されているとともに、
引き戸本体の前記開口側縦枠と対向する戸当り用縦枠に引き戸用自動施錠錠を設けた自閉式引き戸であって、
前記引き戸本体の下端部をスライド自在に案内する溝状のガイドレールが床面に設けられ、
前記戸当り用縦枠における開口側の側面で且つ上下方向中間部に、引き戸本体の開口側縦枠と嵌合する凹溝が形成された位置決め用嵌合部材を取り付けてあるとともに、
前記凹溝の底部にクッション材が貼着されている一方、引き戸本体の開口側縦枠にクッション材が取り付けられており、また、
前記位置決め用嵌合部材が前記引き戸用自動施錠錠とは位置を上下方向にずらして取り付けられており、しかも、
引き戸本体の前記反対側縦枠に取り付けたクッション材と、このクッション材が当たる戸当りゴムが設けられていることを特徴としている。
【００１１】
請求項２に記載の発明は、請求項１に記載の自閉式引き戸であって、前記位置決め用嵌合部材の下端が出入口の床面より上方に位置することを特徴としている。
【００１２】
請求項３に記載の発明は、請求項１又は２に記載の自閉式引き戸であって、前記位置決め用嵌合部材は、戸当り用縦枠の側面に当接させて皿ビスで取り付ける底板部と、その幅方向内端から立ち上がった後、外側へ二つ折りした第一の立上り板部と、底板部の幅方向外端から斜めに立ち上がった後、外側に折れ曲り、さらに戸当り用縦枠の側面と当接する位置まで略直角に折り返された第二の立上り板部とで構成されており、前記第一の立上り板部と前記第二の立上り板部の間が前記凹溝に形成されており、前記凹溝は外拡がりに形成されていることを特徴している。
【００１３】
【発明の効果】
【００１４】
請求項１に記載の発明によれば、戸当り用縦枠における開口側の側面で且つ上下方向中間部に、引き戸本体の開口側縦枠と嵌合する凹溝が形成された位置決め用嵌合部材を取り付けてあるので、風の強い日に自転車置場に自転車を出し入れする場合、スライドクローザーによって自動的に閉じ動作する引き戸本体が風圧によって面外方向に撓み変形しても、引き戸本体が閉じ位置まで復帰することによって、引き戸本体の撓み変形を修正でき、戸当り用縦枠に設けた引き戸用自動施錠錠の施錠が確実に行われることになる。
【００１５】
即ち、風圧による引き戸本体の面外方向への撓み変形量は、引き戸本体の上下方向中間部が最も大きいが、引き戸本体の上下方向中間部が戸当り用縦枠の上下方向中間部に取り付けられている位置決め用嵌合部材の凹溝に嵌り込むことにより、凹溝内側面による案内作用ないしは位置決め作用が発揮されることによって、引き戸本体引き戸本体の撓み変形が修正され、引き戸用自動施錠錠のデッドボルトとストライクの位置を合致させて、施錠することができる。
【００１６】
また、戸当り用縦枠の側面に位置決め用嵌合部材を取り付けることにより、風圧による引き戸本体の面外方向への撓み変形を修正する構造であるため、戸当り用縦枠の側面に直接、凹溝を加工する場合のように、必要のない位置まで、つまり、風圧による面外方向への撓み変形が生じない引き戸本体の上端部や下端部に対向する位置まで、凹溝を形成する必要がなく、必要最小限の部材追加により、容易且つ安価に実施でき、位置決め用嵌合部材を有しない既存の自転車置場の自閉式引き戸にも適用が可能である。さらに、凹溝の底部に引き戸用自動施錠錠のデッドボルトの通過を許容するための貫通孔を加工する必要がなく、位置決め用嵌合部材の形状が単純化され、位置決め用嵌合部材の製作が容易である。また、凹溝の底部にクッション材が貼着されているので、位置決め用嵌合部材と引き戸本体との衝突の衝撃を吸収緩和でき、位置決め用嵌合部材の追加による騒音発生を回避できる。
【００１７】
請求項２に記載の発明によれば、位置決め用嵌合部材の下端が出入口の床面より上方に位置するので、出入口の床面を掃除する際、位置決め用嵌合部材が邪魔にならず、位置決め用嵌合部材の凹溝に塵が溜まる虞もない。
【００１８】
請求項３に記載の発明によれば、前記位置決め用嵌合部材は、戸当り用縦枠の側面に当接させて皿ビスで取り付ける底板部と、その幅方向内端から立ち上がった後、外側へ二つ折りした第一の立上り板部と、底板部の幅方向外端から斜めに立ち上がった後、外側に折れ曲り、さらに戸当り用縦枠の側面と当接する位置まで略直角に折り返された第二の立上り板部とで構成されており、前記第一の立上り板部と前記第二の立上り板部の間が前記凹溝に形成されており、前記凹溝は外拡がりに形成されているので、引き戸本体に面外方向への撓み変形があっても、引き戸本体が閉じ位置まで復帰することにより、溝の両内側面による案内作用ないしは位置決め作用が発揮され、引き戸本体の撓み変形が修正され、引き戸用自動施錠錠のデッドボルトとストライクの位置が合致する。
【００１９】
【図面の簡単な説明】
【００２０】
【図１】本発明に係る自転車置場の自閉式引き戸を内部側から見た正面図である。
【図２】要部の縦断側面図である。
【図３】要部の横断平面図である。
【図４】要部を拡大して示す横断平面図である。
【発明を実施するための形態】
【００２１】
以下、本発明の実施形態を図面に基づいて説明する。図１〜図４は、本発明に係る自転車置場の自閉式引き戸Ａの一例を示す。この自閉式引き戸Ａは、自転車置場用建屋１の出入口２にガイドレール３で吊下げ支持された状態に設置され、手動により開き動作し、既知構造のスライドクローザー４により閉じ動作するように構成された引き戸本体５を備え、引き戸本体５の開口側縦枠６と対向する戸当り用縦枠７に既知構造の引き戸用自動施錠錠８を設けたものである。引き戸用自動施錠錠８は、内外両側から操作可能なレバー８ａ、８ｂにより開錠が可能なキーレス方式となっている。
【００２２】
９は引き戸本体５の上端部に軸支され、ガイドレール３上を転動するコロである。１０は床面Ｆに設けた溝状のガイドレールであり、引き戸本体５の下端部をスライド自在に案内し、面外方向への移動（振れ）を防止している。引き戸本体５は、開口側縦枠６、反対側縦枠１１、上枠１２、下枠１３、中桟１４、面板としてのアルミパンチングメタル１５等で構成されている。開口側縦枠６、反対側縦枠１１、上枠１２、下枠１３、中桟１４としては、内側をステンレスで補強したアルミ押出成形品が使用されている。５ａ、５ｂは引き戸本体５の把手である。５ｃ、５ｄは引き戸本体５の開口側縦枠６と反対側縦枠１１に取り付けたクッション材である。１６は戸当りゴム、１７はシーリング材、１８はそのバックアップ材である。
【００２３】
前記戸当り用縦枠7には、開口側の側面で且つ上下方向中間部に、引き戸本体５の開口側縦枠６と嵌合する凹溝ａが形成された位置決め用嵌合部材１９が皿ビス２０により取り付けられている。位置決め用嵌合部材１９は、引き戸用自動施錠錠８を中心として上下方向に延設して取り付けられており、位置決め用嵌合部材１９の下端は出入口２の床面Ｆより上方に位置している。２１は、凹溝ａの底部に貼着されたゴム板等のクッション材である。
【００２４】
図示の位置決め用嵌合部材１９は、戸当り用縦枠7の側面に当接させて皿ビス２０で取り付ける底板部と、その幅方向内端から立ち上がった後、外側へ二つ折りした第一の立上り板部と、底板部の幅方向外端から斜めに立ち上がった後、外側に折れ曲り、さらに戸当り用縦枠7の側面と当接する位置まで略直角に折り返された第二の立上り板部とで構成されている。第一の立上り板部と第二の立上り板部の間が前記凹溝ａに形成されており、凹溝ａは外拡がりとされ、引き戸本体５に面外方向への撓み変形があっても、引き戸本体５が閉じ位置まで復帰することにより、溝ａの両内側面による案内作用ないしは位置決め作用が発揮され、引き戸本体５の撓み変形が修正され、引き戸用自動施錠錠８のデッドボルト（図示せず）とストライク（図示せず）の位置が合致するように構成されている。第二の立上り板部は、引き戸用自動施錠錠８を外部からバール等を差し込み、こじ開ける等の行為を防止する防犯ガードを兼ねている。
【００２５】
上記の構成によれば、戸当り用縦枠７における開口側の側面で且つ上下方向中間部に、引き戸本体５の開口側縦枠６と嵌合する凹溝ａが形成された位置決め用嵌合部材１９を取り付けてあるので、風の強い日に自転車置場に自転車を出し入れする場合、スライドクローザー４によって自動的に閉じ動作する引き戸本体５が風圧によって面外方向に撓み変形しても、引き戸本体５が閉じ位置まで復帰することによって、引き戸本体５の撓み変形を修正でき、戸当り用縦枠７に設けた引き戸用自動施錠錠８の施錠が確実に行われることになる。
【００２６】
即ち、風圧による引き戸本体５の面外方向への撓み変形量は、引き戸本体５の上下方向中間部が最も大きいが、引き戸本体５の上下方向中間部が戸当り用縦枠７の上下方向中間部に取り付けられている位置決め用嵌合部材１９の凹溝ａに嵌り込むことにより、凹溝ａ内側面による案内作用ないしは位置決め作用が発揮されることによって、引き戸本体５の撓み変形が修正され、引き戸用自動施錠錠８のデッドボルトとストライクの位置を合致させて、施錠することができる。
【００２７】
また、戸当り用縦枠７の側面に位置決め用嵌合部材１９をビス止めすることにより、風圧による引き戸本体５の面外方向への撓み変形を修正する構造であるため、戸当り用縦枠7の側面に直接、凹溝を加工する場合のように、必要のない位置まで、つまり、風圧による面外方向への撓み変形が生じない引き戸本体５の上端部や下端部に対向する位置まで、凹溝を形成する必要がなく、必要最小限の部材追加により、容易且つ安価に実施でき、位置決め用嵌合部材１９を有しない既存の自転車置場の自閉式引き戸にも適用できる。
【符号の説明】
【００２８】
１  自転車置場用建屋
２  出入口
３  ガイドレール
４  スライドクローザー
５  引き戸本体
５ａ、５ｂ  把手
５ｃ、５ｄ  クッション材
６  開口側縦枠
７  戸当り用縦枠
８  引き戸用自動施錠錠
８ａ、８ｂ  レバー
９  コロ
１０  ガイドレール
１１  反対側縦枠
１２  上枠
１３  下枠
１４  中桟
１５  アルミパンチングメタル
１６  戸当りゴム
１７  シーリング材
１８  バックアップ材
１９  位置決め用嵌合部材
２０  皿ビス
２１  クッション材
Ａ  自閉式引き戸
ａ  凹溝
【図１】
0005827080.tif 000002
【図２】
0005827080.tif 000003
【図３】
0005827080.tif 000004
【図４】
0005827080.tif 000005